(57)【要約】【課題】カメラボディと撮影レンズ鏡筒の間に中間アダプタを介在させた状態を含めて正確な測光を行うことが可能なカメラシステムを提供する。【解決手段】本カメラシステム１は、カメラボディ２とカメラボディに着脱可能なレンズ鏡筒１５、および、カメラボディ２とレンズ鏡筒１５との間に介装可能な中間アダプタ１９とにより構成されるシステムであって、本システムにおいては、カメラボディ２のペンタプリズム５の後方に配される測光センサ２５により被写体光の輝度が検出されるがその測光値は、レンズの開放絞り値からレンズ鏡筒１５の焦点距離情報や撮影距離情報や瞳距離情報と中間アダプタ１９の長さ情報に基づいて実効絞り値（撮影状態での開放絞り）を求め、その実効絞り値を適用して正しく補正された測光値が得られる。補正された測光値により露出演算が行われるので精度のよい露出条件が求められる。【選択図】図２
2007017891.tif 000002
【特許請求の範囲】
【請求項１】
撮像素子が配置されているカメラボディと、上記カメラボディに着脱自在に装着可能であり、上記撮像素子上に被写体像を結像させる撮影レンズと、上記カメラボディと撮影レンズとの間に着脱自在に介挿され、上記カメラボディと上記撮影レンズとの間隔を変更する中間アダプタとからなるカメラシステムであって、
上記カメラボディは、上記中間アダプタによって変更された上記カメラボディと上記撮影レンズとの間隔に係わる情報を得る間隔情報取得手段と、
上記撮影レンズの情報を得る撮影レンズ情報取得手段と、
上記撮影レンズと上記中間アダプタが上記カメラボディに装着された場合の実効絞り値を算出するための補正係数を記憶する補正係数記憶手段と、
上記間隔情報取得手段と撮影レンズ情報取得手段により得た情報、および、上記補正係数に基づいて上記撮影レンズの実効絞り値を算出する演算手段と、
を有することを特徴とするカメラシステム。
【請求項２】
上記間隔情報取得手段で取得される情報は、上記撮影レンズの開放絞り値と、上記撮影レンズの撮影状態における射出瞳距離とを含むことを特徴とする請求項１記載のカメラシステム。
【請求項３】
上記補正係数記憶手段は、上記中間アダプタの長さ情報、および、射出瞳距離に応じた開放絞り値補正テーブル情報を持つことを特徴とする請求項１記載のカメラシステム。
【請求項４】
上記演算手段は、上記中間アダプタの長さ情報、上記撮影レンズの射出瞳距離、上記絞り値補正テーブルの補正値とから上記実効絞り値を算出することを特徴とする請求項１に記載のカメラシステム。
【請求項５】
上記カメラボディは、被写体の明るさを測光する測光手段を有し、上記演算手段で演算された上記実効絞り値に基づいて上記測光手段の出力を補正することを特徴とする請求項１記載のカメラシステム。
【請求項６】
上記カメラボディは、一眼レフレックスカメラであって、被写体光の一次結像面に配置され、上記被写体光を観察光学系に導くスクリーンを有し、上記測光手段は、上記被写体光の拡散光を受光する位置に配置されていることを特徴とする請求項５に記載のカメラシステム。
【請求項７】
撮影レンズを装着する装着部を有し、この装着部と撮影レンズとの間に、間隔を設けるための中間アダプタが更に装着可能な撮像装置であって、
撮像する被写体の明るさを測光する測光手段と、
上記装着部に装着された上記中間アダプタにより設けられた間隔に係る情報を得る間隔情報取得手段と、
上記中間アダプタを介在して装着された上記撮影レンズの情報を得る撮影レンズ情報取得手段と、
上記撮影レンズの実効絞り値を補正するための補正係数を記憶する補正係数記憶手段と、
上記間隔情報取得手段から得られた間隔に係る情報と、上記撮影レンズ情報取得手段から得られた撮影レンズ固有および撮影状態に係る情報と、上記補正係数記憶手段に記憶された補正係数とを基に求められた撮影レンズの実効絞り値から測光値を補正する補正手段と、
上記間隔情報取得手段、撮影レンズ情報取得手段により得た情報、および、上記補正係数に基づいて上記撮影レンズの実効絞り値を算出する演算手段と、
を有することを特徴とする撮像装置。
【請求項８】
上記撮影レンズ情報取得手段で取得される情報は、上記撮影レンズの開放絞り値と、上記撮影レンズの撮影状態での射出瞳距離を含むことを特徴とする請求項７記載の撮像装置。
【請求項９】
上記補正係数記憶手段は、上記中間アダプタの長さ情報、および、射出瞳距離に応じた開放絞り値補正テーブル情報を持つことを特徴とする請求項７記載の撮像装置。
【請求項１０】
上記演算手段は、上記中間アダプタの長さ、上記撮影レンズの射出瞳距離、上記撮影レンズの絞り値、および、上記絞り値補正テーブルの補正値とから実効絞り値を算出することを特徴とする請求項７に記載の撮像装置。
【請求項１１】
上記撮像装置は、一眼レフレックスカメラであって、被写体光の一次結像面に配置され、上記被写体光を観察光学系に導くスクリーンを有し、上記測光手段は、上記被写体光の拡散光を受光する位置に配置されていることを特徴とする請求項７に記載の撮像装置。
【請求項１２】
さらに、上記撮影レンズおよび上記中間アダプタと通信する通信手段を有し、上記中間アダプタを介して上記撮影レンズが装着されたときには、上記中間アダプタより間隔に係る情報を取得するための通信を行い、上記撮影レンズまたは上記中間アダプタが装着されていないときには、上記中間アダプタより間隔に係る情報を取得するための通信を行わないことを特徴とする請求項７に記載の撮像装置。
【発明の詳細な説明】
【技術分野】
【０００１】
本発明は、中間アダプタが装着可能なカメラシステム、または、撮像装置に関する。
【背景技術】
【０００２】
従来、レンズ交換式一眼レフレックス（以下、一眼レフと記載する）デジタルカメラにて、フォーカシングスクリーンに、結像した被写体像を、測光センサにより開放測光し、露出を決めるものにおいては、交換レンズの開放Ｆ値や射出瞳距離（撮像面と射出瞳との距離）に応じて測光値を補正することは公知であり、この補正により、測光光学系と撮影光学系の相違を補正し、正確な露出を行うことができる。
【０００３】
特許文献１および２に開示されたものは、一眼レフカメラにて無限遠撮影時の開放Ｆ値と近接撮影時のレンズ開放Ｆ値が相違するようなレンズを装着した場合、撮影時の撮影距離に応じた開放Ｆ値（実効Ｆ値）を算出して、測光の補正を行い、精度の高い露出演算を可能としたものである。
【０００４】
また、特許文献３および４に開示されたものは、一眼レフカメラにおいて、交換レンズとカメラボディの間にその間隔を変更するためのエクステンションチューブや中間リングなどの中間アダプタを挿入して近接撮影距離変更を可能とするものであり、上記中間アダプタを接続した場合に撮影倍率、ワーキングディスタンス、開放絞り値等を表示する技術も開示されている。
【特許文献１】特開平１１−２３１３９８号公報である。
【特許文献２】特開平１−１００５２５号公報である。
【特許文献３】特開平７−１２０８２８号公報である。
【特許文献４】特開平６−３１３７７３６号公報である。
【発明の開示】
【発明が解決しようとする課題】
【０００５】
上述した特許文献１，２に開示された技術は、交換レンズを直接、カメラボディに装着して撮影を行う通常撮影における測光値の補正に関するものであって、交換レンズとカメラボディの間に、いわゆる、中間アダプタを接続した場合については特に記載がない。
【０００６】
上述した特許文献３，４に開示されたものには、カメラボディと交換レンズの間に中間アダプタを挿入した状態でのレンズ開放Ｆ値の変化に伴う測光補正に関する技術の記載はなく、中間アダプタを使用したとき、正確な測光による露出制御を自動的に行わせるための技術の開示はなされていない。
【０００７】
測光光学系にてスクリーン位置から測光センサまでの距離が短いようなカメラボディにてさらに中間アダプタが装着された場合、特にスクリーン面での被写体光の拡散により測光センサでの受光量が変化する可能性が大きく、正確な測光値を得ることはできなかった。
【０００８】
本発明は、上述の問題に鑑みてなされたものであり、カメラボディと撮影レンズの間に中間アダプタを介在させた状態を含めて正確な測光を行うことが可能なカメラシステム、または、撮像装置を提供することを目的とする。
【課題を解決するための手段】
【０００９】
本発明の請求項１に記載のカメラシステムは、撮像素子が配置されているカメラボディと、上記カメラボディに着脱自在に装着可能であり、上記撮像素子上に被写体像を結像させる撮影レンズと、上記カメラボディと撮影レンズとの間に着脱自在に介挿され、上記カメラボディと上記撮影レンズとの間隔を変更する中間アダプタとからなるカメラシステムであって、上記カメラボディは、上記中間アダプタによって変更された上記カメラボディと上記撮影レンズとの間隔に係わる情報を得る間隔情報取得手段と、上記撮影レンズの情報を得る撮影レンズ情報取得手段と、
上記撮影レンズと上記中間アダプタが上記カメラボディに装着された場合の実効絞り値を算出するための補正係数を記憶する補正係数記憶手段と、上記間隔情報取得手段と撮影レンズ情報取得手段により得た情報、および、上記補正係数に基づいて上記撮影レンズの実効絞り値を算出する演算手段とを有する。
【００１０】
本発明の請求項２に記載のカメラシステムは、請求項１記載のカメラシステムにおいて、上記間隔情報取得手段で取得される情報は、上記撮影レンズの開放絞り値と、上記撮影レンズの撮影状態における射出瞳距離とを含む。
【００１１】
本発明の請求項３に記載のカメラシステムは、請求項１記載のカメラシステムにおいて、上記補正係数記憶手段は、上記中間アダプタの長さ情報、および、射出瞳距離に応じた開放絞り値補正テーブル情報を持つ。
【００１２】
本発明の請求項４に記載のカメラシステムは、請求項１記載のカメラシステムにおいて、上記演算手段は、上記中間アダプタの長さ、上記撮影レンズの射出瞳距離、上記絞り値補正テーブルの補正値とから上記実効絞り値を算出する。
【００１３】
本発明の請求項５に記載のカメラシステムは、請求項１記載のカメラシステムにおいて、上記カメラボディは、被写体の明るさを測光する測光手段を有し、上記演算手段で演算された上記実効絞り値に基づいて上記測光手段の出力を補正する。
【００１４】
本発明の請求項６に記載のカメラシステムは、請求項５記載のカメラシステムにおいて、上記カメラボディは、一眼レフレックスカメラであって、被写体光の一次結像面に配置され、上記被写体光を観察光学系に導くスクリーンを有し、上記測光手段は、上記被写体光の拡散光を受光する位置に配置されている。
【００１５】
本発明の請求項７に記載の撮像装置は、撮影レンズを装着する装着部を有し、この装着部と撮影レンズとの間に、間隔を設けるための中間アダプタが更に装着可能である撮像装置であって、撮像する被写体の明るさを測光する測光手段と、上記装着部に装着された上記中間アダプタにより設けられた間隔に係る情報を得る間隔情報取得手段と、上記中間アダプタを介在して装着された上記撮影レンズの情報を得る撮影レンズ情報取得手段と、上記撮影レンズの実効絞り値を補正するための補正係数を記憶する補正係数記憶手段と、上記間隔情報取得手段から得られた間隔に係る情報と、上記撮影レンズ情報取得手段から得られた撮影レンズ固有および撮影状態に係る情報と、上記補正係数記憶手段に記憶された補正係数とを基に求められた撮影レンズの実効絞り値から測光値を補正する補正手段と、上記間隔情報取得手段、撮影レンズ情報取得手段により得た情報、および、上記補正係数に基づいて上記撮影レンズの実効絞り値を算出する演算手段とを有する。
【００１６】
本発明の請求項８に記載の撮像装置は、請求項７記載の撮像装置において、上記撮影レンズ情報取得手段で取得される情報は、上記撮影レンズの開放絞り値と、上記撮影レンズの撮影状態での射出瞳距離を含む。
【００１７】
本発明の請求項９に記載の撮像装置は、請求項７記載の撮像装置において、上記補正係数記憶手段は、上記中間アダプタの長さ情報、および、射出瞳距離に応じた開放絞り値補正テーブル情報を持つ。
【００１８】
本発明の請求項１０に記載の撮像装置は、請求項７記載の撮像装置において、上記演算手段は、上記中間アダプタの長さ、上記撮影レンズの射出瞳距離、上記撮影レンズの絞り値、および、上記絞り値補正テーブルの補正値とから実効絞り値を算出する。
【００１９】
本発明の請求項１１に記載の撮像装置は、請求項７記載の撮像装置において、上記撮像装置は、一眼レフレックスカメラであって、被写体光の一次結像面に配置され、上記被写体光を観察光学系に導くスクリーンを有し、上記測光手段は、上記被写体光の拡散光を受光する位置に配置されている。
【００２０】
本発明の請求項１２に記載の撮像装置は、請求項７記載の撮像装置において、さらに、上記撮影レンズおよび上記中間アダプタと通信する通信手段を有し、上記中間アダプタを介して上記撮影レンズが装着されたときには、上記中間アダプタより間隔に係る情報を取得するための通信を行い、上記撮影レンズまたは上記中間アダプタが装着されていないときには、上記中間アダプタより間隔に係る情報を取得するための通信を行わない。
【発明の効果】
【００２１】
本発明によれば、カメラボディと撮影レンズの間に中間アダプタを介在させた状態でも正確な測光を行うことが可能であるカメラシステム、または、撮像装置を提供することができる。
【発明を実施するための最良の形態】
【００２２】
以下、図を用いて本発明の実施形態について説明する。  
図１は、本発明の第一の実施形態であるカメラシステムの要部構成を一部切り欠いて示した斜視図である。
【００２３】
本実施形態のカメラシステム１は、一眼レフレックスカメラ（デジタルカメラ）である撮像装置としてのカメラボディ２および光学系１６を有する交換可能な撮影レンズ（以下、レンズ鏡筒と記載する）１５と、カメラボディ２とレンズ鏡筒１５との間に着脱可能な中間アダプタ１９とで構成されるシステムである。
【００２４】
レンズ鏡筒１５は、撮影光学系１６と後述する絞り１７、さらに、レンズ制御要素等からなる。撮影光学系１６は、被写体からの光束を透過させることによって、当該被写光束により形成される被写体の像を所定の位置（カメラボディ２の撮像素子９の光電変換面）に結像せしめる複数の撮影レンズよりなる。レンズ鏡筒１５のカメラボディ装着側には露光用開口をもつレンズ側マウント部１５ａが設けられる。レンズ側マウント部１５ａには、カメラボディ２との通信手段としてのレンズ通信コネクタ５４が配される（図２）。
【００２５】
中間アダプタ１９は、外周部にレンズ鏡筒とカメラボディとの間隔を変更するための回転操作可能なリング長可変操作部材６４が設けられた伸縮自在な筒状部材であって、内部に後述する各制御要素が内蔵される。そして、カメラボディ装着側に露光用開口をもつアダプタ側マウント部１９ａとレンズ鏡筒１５装着側にアダプタ側マウント部１９ｂとが配されている（図２）。
【００２６】
アダプタ側マウント部１９ａ，１９ｂにはそれぞれカメラボディ２およびレンズ鏡筒１５との通信手段としてのボディ２とのアダプタ通信コネクタＢ６５およびレンズ鏡筒１５とのアダプタ通信コネクタＬ６７が設けられている。なお、中間アダプタ１９としては、長さ可変機構を内蔵する中間リング（接写用の伸縮自在のエクステンションチューブを含む）や固定長さの中間リング、さらに、テレコンバータが適用可能である。
【００２７】
カメラボディ２は、前面部に露光用開口を有しており、レンズ鏡筒１５、または、中間アダプタ１９を装着する装着部としてのマウント部２ａが配されている。マウント部２ａの内側には、レンズ鏡筒１５、中間アダプタ１９のいずれかが装着されているか、あるいは、装着されていないかを検出するための装着検出スイッチ１４が配される。さらに、マウント部２ａにはレンズ鏡筒１５、または、中間アダプタ１９との通信手段としてのボディ通信コネクタ４５が設けられている（図２）。
【００２８】
カメラボディ２の内部には光軸Ｏ上に沿ってサブミラー１１を有し、露光時に光路上から退避可能な可動ミラー３と、フォーカルプレーンシャッタ式のシャッタユニット８と、撮影光学系１６により結像される被写体像を光電変換によって撮像電気信号に変換するための撮像素子９とが配され、撮像素子９の背面側にメイン回路基板１０等が配される。さらに、可動ミラー３の上方部に観察光学系であるファインダ装置７が配され、また、後述する各カメラ制御要素（図２）が内蔵されている。カメラボディ上部にレリーズスイッチ操作釦１７および動作表示用ＬＣＤ４２（図２）と、背面部に画像表示用液晶モニタ３６（図２）等が配されている。
【００２９】
ファインダ装置７は、可動ミラー３の他に可動ミラー３からの反射光が結像する被写体光一次結像面位置に配されるスクリーン４と、スクリーン４の被写体像の光束を接眼レンズ側に反射するペンタプリズム５と、該被写体像の正立正像を拡大して観察するための接眼レンズ６とからなる。なお、ペンタプリズム５の背面上部には、測光手段としての測光センサ２５（図２）が配されている。
【００３０】
次に、カメラシステム１における機構・電気制御部の構成について、図２，３を用いて説明する。  
図２は、本カメラシステムのシステムブロック構成図である。図３は、本カメラシステムを構成するカメラボディにおける撮影範囲内の測光エリアの分布を示す図である。
【００３１】
図２に示すようにカメラボディ２にはカメラシステム全体の制御を行うカメラボディ制御用マイクロコンピュータ（以下、Ｂμｃｏｍと記載する）２１が内蔵されており、カメラボディ内の下記の各制御要素は、Ｂμｃｏｍ２１に接続されている。
【００３２】
カメラボディ２において、可動ミラーを透過し、サブミラー１１で反射された被写体光束は、ＡＦセンサ駆動回路２７で駆動されるＡＦセンサユニット２８に取り込まれ、そこで被写体距離情報が検出され、Ｂμｃｏｍ２１に入力される。Ｂμｃｏｍ２１は、上記被写体距離情報に基づいてレンズ鏡筒１５のフォーカシング駆動の指示を行う。
【００３３】
ペンタプリズム５を透過したスクリーン４の被写体像の拡散光は、フォトセンサからなる測光センサ２５で受光され、図３に示す撮影範囲２９内の測光エリアである中央測光エリア２９ｃと周辺測光エリア２９ａ，２９ｂ，２９ｄ，２９ｅのそれぞれの被写体輝度の検出が行われる。
【００３４】
測光センサ２５により検出された上記被写体輝度信号は、測光回路２６を介してＢμｃｏｍ２１に取り込まれ、後述するように被写体条件や撮影条件、さらに、レンズ鏡筒１５，中間アダプタ１９の状態により適正な補正が加えられ、露出条件を決定するための補正測光値（後述）が求められる。
【００３５】
可動ミラー３は、被写体像の観察時，撮影時に対応してミラー駆動機構２２によって斜設位置と退避位置とに回動駆動される。シャッタユニット８は、シャッタチャージ機構２３により先幕，後幕のチャージがなされ、シャッタ制御回路２４によって開閉駆動がなされる。
【００３６】
撮像素子９から出力される撮像電気信号は、インターフェース回路３１を介して画像処理コントローラ３２に取り込まれ、ＳＤＲＡＭ３３を利用し、画像データが生成される。上記画像データは、被写体画像情報として記録メディア３５に記録される。また、液晶モニタ３６には、上記画像データの撮影画像、あるいは、記録メディア３５に記録されている撮影済み画像が表示される。ＦＬＡＳＨＲＯＭ３４は、カメラボディ制御用マイクロコンピュータ２１のプログラムを記憶すると共にその一部の記憶領域が画像情報の記録用として用いられる。
【００３７】
動作表示用ＬＣＤ４２にはＢμｃｏｍ２１の制御のもとでカメラ動作状態のデータが表示される。カメラ状態スイッチ４１は、撮影者によって操作されるパワースイッチやレリーズスイッチやモード設定スイッチ等を含むスイッチ群により構成され、その出力は、Ｂμｃｏｍ２１に取り込まれ、カメラの撮影開始、撮影モード設定、あるいは、画像再生等が指示される。
【００３８】
不揮発性メモリ３７は、ＥＥＰＲＯＭからなり、カメラ制御に必要な所定の制御パラメータを記憶しており、必要に応じてＢμｃｏｍ２１よりアクセス可能となっている。
【００３９】
電池からなる電源部４３の出力電力は、電源回路４４を介して各電気回路ユニットへ供給される。
【００４０】
レンズ鏡筒１５がマウント部２ａに装着されると、ボディ通信コネクタ４５がレンズ鏡筒１５のレンズ通信コネクタ５４と接続され、Ｂμｃｏｍ２１は、レンズ鏡筒１５の制御部であるＬμｃｏｍ５１と通信可能な状態となる。
【００４１】
中間アダプタ１９がマウント部２ａに装着され、さらに、中間アダプタ１９のマウント部１９ｂにレンズ鏡筒１５が装着された場合、ボディ通信コネクタ４５が中間アダプタ１９のアダプタ通信コネクタＢ６５と接続され、同時にアダプタ通信コネクタＬ６７がレンズ鏡筒１５のレンズ通信コクタ５４と接続される。その接続状態では、Ｂμｃｏｍ２１は、通信切り換えスイッチ６６を介して中間アダプタ１９の制御部であるアダプタ制御用マイクロコンピュータ（以下、Ｍμｃｏｍと記載する）６１と、レンズ鏡筒１５のＬμｃｏｍ５１と接続される。Ｂμｃｏｍ２１は、通信切り換え線を介して上記通信切り換えスイッチ６６を制御することにより中間アダプタ１９、または、レンズ鏡筒１５のいずれかと通信可能な状態となる。
【００４２】
なお、レンズ鏡筒１５、中間アダプタ１９のいずれが装着されているか否かは、装着検出スイッチ１４によって検出され、装着状態の出力は、Ｂμｃｏｍ２１に取り込まれる。
【００４３】
レンズ鏡筒１５には上記通信状態においてＢμｃｏｍ２１に対して従属的に協働してレンズ鏡筒１５の制御を行うＬμｃｏｍ５１が内蔵されている。Ｌμｃｏｍ５１の制御のもとで絞り駆動機構５２は、ステッピングモータを駆動源として撮影光学系１６の絞り１７の絞り調節を行い、レンズ駆動機構５３は、ＤＣモータを駆動源として撮影光学系１６のフォーカシング、または、ズーミングのための進退駆動を行う。また、Ｌμｃｏｍ５１には、レンズＩＤや望遠（ＴＥＬＥ）側焦点距離、広角（ＷＩＤＥ）側焦点距離，開放絞り値等の固有の情報が記憶されており、それらの情報は、装着時にＢμｃｏｍ２１側に送信される。さらに、Ｌμｃｏｍ５１には、撮影光学系１６の状態に応じて変化する各情報（後述するレンズ状態データ）を求める機能が実装されており、それらの情報は、随時、Ｂμｃｏｍ２１に送信される。
【００４４】
中間アダプタ１９には上記通信状態においてＢμｃｏｍ２１に対して中間アダプタ１９のデータを送信するＭμｃｏｍ６１が内蔵されている。中間アダプタ１９のリング長可変操作部材６４を回転操作するとヘリコイドネジ等のリング長可変機構６３を介して中間アダプタ１９の長さ、すなわち、アダプタ側マウント部１９ａと１９ｂとの間隔情報は、リング検出機構６２によって検出され、Ｍμｃｏｍ６１によりＢμｃｏｍ２１に送信される。なお、上述の場合は、中間アダプタとして長さ可変機構を有する中間リングを用いた場合であるが、テレコンバータが装着された場合は、中間アダプタよりテレコンバータの倍率情報がＢμｃｏｍ２１に送信される。
【００４５】
中間アダプタ１９側から送信される間隔に関する情報（アダプタ長さ）および倍率情報は、間隔情報取得手段であるＢμｃｏｍ２１の制御によりメモリ部２１ａに記憶される。レンズ鏡筒１５側から送信されるレンズ固有の情報としてレンズＩＤ，焦点距離（テレ，ワイド端），現在（撮影時）のレンズ状態情報である焦点距離，撮影距離，開放絞り値，レンズ射出瞳距離の情報は、撮影レンズ情報取得手段であるＢμｃｏｍ２１の制御によりメモリ部２１ａに記憶される。さらに、測光値補正のための補正係数記憶手段であるメモリ部２１ａに補正係数が記憶されている。
【００４６】
上述したカメラシステム１においては、カメラボディ２のマウント部２ａにレンズ鏡筒１５のみを装着した状態、あるいは、中間アダプタ１９を介してレンズ鏡筒１５を装着した状態で被写体像の観察、あるいは、撮影が行われる。
【００４７】
詳しくは、被写体像の観察時には被写体光は、光路上の斜設位置にある可動ミラー３で反射され、スクリーン４上に結像する。その被写体像は、ペンタプリズム５を介して接眼レンズ６により観察される。
【００４８】
さらに、上記観察状態では、ペンタプリズム５を介して取り込まれる被写体光の輝度が絞り開放状態にて測光センサ２５で検出され（開放測光）、測光回路２６を介してＢμｃｏｍ２１に輝度情報（測光値）として取り込まれる。一方、Ｂμｃｏｍ２１にてレンズ状態情報として焦点距離情報，撮影距離情報，開放絞り情報、さらに、アダプタ状態情報として間隔に係る情報である中間アダプタ長さ情報、あるいは、中間アダプタがテレコンバータである場合には、その倍率情報等の各データに基づいて、レンズ鏡筒１５の実効絞り値から撮影距離と中間アダプタ長さ対応の実効絞り値が演算される。上記センサで検出された測光値は、上記撮影距離対応の実効絞り値とレンズ鏡筒の射出瞳距離情報とに基づき、測光値補正テーブルを用いて補正測光値が演算される。さらに、周辺減光による補正も加えられる。なお、この測光値補正演算については後で詳細に説明する。
【００４９】
撮影時には、可動ミラー３は、上方に退避しており、撮影光学系１６を経て取り込まれる被写体光束は、撮像素子９の光電変換面上に結像する。そのときの撮像素子９の露出条件は、上記補正測光値を適用して決定される。被写体像は、撮像素子９にて電気信号に変換され、Ｂμｃｏｍ２１の制御のもとで画像処理コントローラ３２によって画像処理が施された後、その画像信号は、被写体画像情報として記録メディア３５に記録される。
【００５０】
次に、カメラシステム１における撮影／表示処理のフローの説明に先立って、カメラシステム１においてＢμｃｏｍ２１における測光補正演算で利用されるデータであって、Ｌμｃｏｍ５１，Ｍμｃｏｍ６１からＢμｃｏｍ２１側に通信により転送されるデータ、さらに、Ｂμｃｏｍ２１のメモリ部に格納される測光補正のためのデータについて説明する。
【００５１】
表１は、Ｌμｃｏｍ５１からＢμｃｏｍ２１側に送信される送信データであって、レンズ鏡筒１５のレンズ状態データ、および、レンズ固有データを示す。なお、これらのデータは、Ｂμｃｏｍ２１のメモリ部２１ａに取り込まれる。
【００５２】
例えば、上述のようにレンズ状態データとして撮影レンズから送信されるデータは、撮影レンズの現在の焦点距離データ、撮影距離データ、開放絞り値、レンズの移動量を示すレンズパルスデータ、および、撮影レンズ単体での瞳位置、撮像面位置などにより決まる現在のレンズ射出瞳距離データを含む。また、レンズ固有データは、製品の識別を表すレンズＩＤ、後述するレンズ識別データ、広角（ワイド）端、望遠（テレ）端の各焦点距離、レンズ個別のシリアル番号、各焦点距離における公称開放絞り、公称最小絞り、および、最近接撮影距離の各データを含む。
【表１】
2007017891.tif 000003
【００５３】
表２は、Ｍμｃｏｍ６１からＢμｃｏｍ２１側に送信される送信データであって、中間アダプタ１９に関するアダプタ状態データ、および、アダプタ固有データを示す。なお、これらのデータは、間隔情報取得手段であるＢμｃｏｍ２１のメモリ部２１ａに取り込まれる。
【００５４】
例えば、上述のようにアダプタ状態データは、現在の中間リング長、および、現在の倍率の各データを含む。また、アダプタ固有データは、製品の識別を表すアダプタＩＤ、後述するアダプタ識別データ、アダプタの名称、最大倍率、最小倍率、対応可能な開放Ｆ値の範囲を示す対応開放絞り値、中間リングの伸縮可能範囲を示すリング長（最短、最長）の各データを含む。
【表２】
2007017891.tif 000004
【００５５】
表３は、表１，２に示されるレンズ識別データおよびアダプタ識別データの内容を示すビットデータを示す。
【表３】
2007017891.tif 000005
【００５６】
表４，５は、Ｂμｃｏｍ２１の補正係数記憶手段であるメモリ部に格納されているデータのうち、異なる２種類のＩＤ（例えば、Ｉｄ０００１およびＩｄ０００５）のレンズ鏡筒１５の撮影距離に応じた開放Ｆno（開放絞り値）を表す実効Ｆ値を補正するための補正係数Ｈを示す。
【表４】
2007017891.tif 000006
【表５】
2007017891.tif 000007
【００５７】
表６は、Ｂμｃｏｍ２１の補正係数記憶手段であるメモリ部に格納されているデータのうち、長さ２５ｍｍの基準中間アダプタを装着した場合の各レンズ射出瞳距離ＳL に対する開放Ｆno補正倍率Ｋ、および、アペックス補正量ｌｏｇ２Ｋを示す（射出瞳距離に応じた開放絞り値補正テーブル）。なお、レンズ射出瞳距離ＳLとは、レンズ鏡筒単体の状態でのレンズ瞳位置と撮像面位置との間の距離である。
【表６】
2007017891.tif 000008
【００５８】
表７は、Ｂμｃｏｍ２１に補正係数記憶手段であるメモリ部に格納されているデータのうち、測光輝度を補正演算するためのデータであって、レンズのアダプタ装着状態での射出瞳距離ＳLLと実効ＡＶｅ値（撮影状態における開放絞りである実効絞りのアペックス値）に対する補正値ｆL （ＡＶｅ，ＳLL）を示す（単位ΔＥ）。但し、ＡＶｅ値は、テレコンバータ、または、中間アダプタ装着状態により後述するＡＶｅｔ値、または、ＡＶｅｃ値と置き換えられる。また、射出瞳距離ＳLLは、レンズ鏡筒のみで中間アダプタが装着されない状態では、レンズ射出瞳距離ＳL と等しいが、レンズ鏡筒と中間アダプタとが装着された状態では、レンズ射出瞳距離ＳL とアダプタ長さ（中間リング長さ）Ｌａとを加算した値を適用する。
【表７】
2007017891.tif 000009
【００５９】
図４は、レンズ射出瞳距離ＳL をパラメータとしたときの中間アダプタ長さＬa に対する実効Ｆnoｅｃの変化率を示す線図である。本図に示すように実効Ｆnoｅｃは、各レンズ射出瞳距離ＳL にてアダプタ長Ｌａとともに直線的に変化することが確認されている。
【００６０】
さて、カメラシステム１においてはＢμｃｏｍ２１にて測光輝度の補正演算が行われるが、その補正演算の内容について、上記表１〜７および図４等を用いて説明する。この演算に適用される各データは、上述した各表に示されるデータであって、レンズ鏡筒、または、アダプタとの通信によってＢμｃｏｍ２１側に取り込まれるデータ（表１，２）、あるいは、すでにＢμｃｏｍ２１の上記メモリ部に格納されているデータ（表４〜７）が使用されるものとする。
【００６１】
まず、装着されているレンズ鏡筒１５単体の現在の焦点距離および無限遠での開放Ｆno（∞）と撮影距離に応じた補正係数Ｈ（表４，５）とにより撮影距離対応のレンズ鏡筒単体の開放絞りである実効Ｆnoｅが演算される。すなわち、
Ｆnoｅ＝Ｆno（∞）×Ｈ              …（１）
によって求められる。
【００６２】
中間アダプタ１９としてテレコンバータが装着されている場合、該テレコンバータの倍率ＭがＢμｃｏｍ２１に通信により取り込まれ、テレコンバータの倍率Ｍと撮影距離とに応じた実効Ｆnoｅｔは、（１）式による実効Ｆnoｅと倍率Ｍにより演算される。すなわち、
Ｆnoｅｔ＝Ｆnoｅ×Ｍ                …（２）
によって求められる。
【００６３】
中間アダプタ１９として中間リングが装着されている場合、装着アダプタ長さＬａとレンズ射出瞳距離ＳL とに応じた実効Ｆnoｅｃは、実効Ｆnoｅと、各レンズ射出瞳距離ＳL に対する基準アダプタ長さ２５ｍｍでの補正倍率Ｋ（表６）と、アダプタ長さ比Ｌａ／２５ｍｍにより演算される。すなわち、
Ｆnoｅｃ＝Ｆnoｅ×Ｋ×Ｌａ／２５    …（３）
によって求められる。（３）式の演算式は、図４で説明したようにアダプタ長さにより実効Ｆnoが直線的に変化する関係に基づいた演算式である。
【００６４】
なお、実際のＢμｃｏｍ２１内部における（１），（２），（３）式の演算は、アペックス値上で行われる。そこで、（１）式をアペックス値で示すと、
ＡＶｅ＝ＡＶｅ（∞）＋２×ｌｏｇ２Ｈ  …（４）
となる。ここで、ＡＶ（∞）は、レンズ鏡筒１５単体の無限遠での開放Ｆno（∞）のアペッスク値であり、ＡＶｅは、撮影距離対応のレンズ鏡筒単体の実効Ｆnoｅのアペックス値である。
【００６５】
（２）式をアペックス値で示すと、
ＡＶｅｔ＝ＡＶｅ＋２×ｌｏｇ２Ｍ    …（５）
となる。ここで、ＡＶｅｔは、テレコンバータの倍率Ｍと撮影距離とに応じた実効Ｆnoｅｔのアペックス値である。
【００６６】
同様に（３）式をアペックス値で示すと、
ＡＶｅｃ＝ＡＶｅ＋２×（ｌｏｇ２Ｋ＋ｌｏｇ２（Ｌａ／２５））…（６）
となる。ここで、ＡＶｅｃは、装着アダプタ長さＬａと撮影距離とレンズ射出瞳距離ＳL とに応じた実効Ｆnoｅｃのアペックス値である。
【００６７】
続いて、レンズ鏡筒１５単体が装着された場合は、実効ＡＶｅが適用され、テレコンバータが装着された場合は、実効ＡＶｅｔが適用され、中間アダプタ１９が装着された場合は、実効ＡＶｅｃをそれぞれ適用して、以下の測光値補正演算がＢμｃｏｍ２１に内蔵される演算手段（補正手段）により行われる。すなわち、変数ｘを図３の撮影範囲２９上の測光エリア２９ａ，２９ｂ，２９ｃ，２９ｄ，２９ｅの何れかのエリアに対応する変数として、補正測光（補正輝度）値のアペックス値ＢＶｃ（ｘ）は、
ＢＶｃ（ｘ）＝ｆL （ＡＶｅ，ＳLL）＋（ＡＶｅ−２）＋ＢＶ（ｘ）  …（７）
によって求める。ここで、ｆL （ＡＶｅ，ＳLL）は、前述したように射出瞳距離ＳLLと実効ＡＶｅ値（撮影状態における開放絞りである実効絞りのアペックス値）に対する補正値（表７）である。ＢＶ（ｘ）は、測光エリア２９ａ，２９ｂ，２９ｃ，２９ｄ，２９ｅの何れかのエリア上の測光センサ２５の測定結果による測光値のアペックス値である。ここで、（７）式中の値「２」は、Ｆ２に相当するアペックス値であり、本実施形態では、すべてＦ２を基準としてＢＶ（ｘ）が正しく求まるように調整され、Ｆ２を基準にして補正を行う構成となっている。
【００６８】
但し、実効ＡＶｅは、中間アダプタ１９としてテレコンバータが装着された場合には実効ＡＶｅｔと置き換えられる。中間アダプタ１９として中間リングが装着された場合には実効ＡＶｅｃとに置き換えられる。
【００６９】
カメラシステム１においては、Ｂμｃｏｍ２１の制御のもとで上記補正測光（補正輝度）値のアペックス値ＢＶｃ（ｘ）は、さらに周辺減光補正が施され、その補正測光値を適用して露出演算が行われる。
【００７０】
次に、カメラシステム１における上述した測光補正処理を含むメインルーチンである撮影／表示処理について、図５〜８のフローチャートを用いて説明する。  
図５は、カメラシステム１におけるメインの処理ルーチンである「撮影／表示処理」のフローチャートである。図６は、上記撮影／表示処理で呼び出されるサブルーチンの「レンズ・アダプタマウント処理」のフローチャートである。図７は、上記撮影／表示処理で呼び出されるサブルーチンの「レンズ・アダプタ状態受信処理」のフローチャートである。図８は、上記撮影／表示処理で呼び出されるサブルーチンの「測光処理」のフローチャートである。
【００７１】
カメラボディ２のパワースイッチがオン操作されると、カメラボディ２側のＢμｃｏｍ２１の制御のもとで装着済みのレンズ鏡筒１５のＬμｃｏｍ５１や中間アダプタ１９のＭμｃｏｍ６１が協働状態のもとで図５のステップＳ１以下のメインルーチンの処理が開始される。
【００７２】
なお、各処理中に参照されるフラグとして「レンズフラグ」は、レンズ鏡筒１５が装着されている場合は１にセットされ、装着されていない場合は０にリセットされる。「アダプタフラグ」は、中間アダプタ１９（テレコンバータを含む）が装着されている場合は、１にセットされ、装着されていない場合は、０にリセットされる。さらに、「レンズ状態変化フラグ」は、レンズ状態、詳しくは、表１に示すようなレンズ鏡筒１５のレンズ状態の撮影距離の変化や焦点距離の変化や射出瞳距離等に変化があった場合は１にセットされ、変化がない場合は０にリセットされる。「アダプタ状態変化フラグ」は、アダプタの状態、詳しくは、表２に示すような中間アダプタ１９（テレコンバータを含む）のアダプタ長，テレコンバータ倍率などに変化があった場合は１にセットされ、変化がない場合は０にリセットされる。
【００７３】
ステップＳ１において、初期設定が行われ、ステップＳ２でサブルーチン「レンズ・アダプタマウント処理」（図６）が呼び出される。
【００７４】
上記サブルーチン「レンズ・アダプタマウント処理」は、レンズ，アダプタの装着状態を検出し、かつ、レンズ，アダプタの固有データを取り込む処理である。ステップＳ２１において、レンズフラグおよびアダプタフラグを０にリセットする。ステップＳ２２で、中間アダプタ１９のＭμｃｏｍ６１との通信を行い、ステップＳ２３で中間アダプタ１９が装着されていないことが検出された場合は、ステップＳ２５にジャンプする。装着されることが検出された場合は、ステップＳ２４に進む。
【００７５】
ステップＳ２４では、アダプタフラグを１にセットし、通信によりアダプタ固有のデータ（表２に示す固有データ）を受信し、Ｂμｃｏｍ２１のメモリ部に該アダプタ固有のデータを格納する。
【００７６】
ステップＳ２５において、レンズ鏡筒１５のＬμｃｏｍ５１との通信を行い、ステップＳ２６でレンズ鏡筒１５が装着されていないことが検出された場合は、リターンし、メインルーチンのステップＳ３に進む。装着されることが検出された場合は、ステップＳ２７に進む。
【００７７】
ステップＳ２７では、レンズフラグを１にセットし、通信によりレンズ固有のデータ（表１に示す固有データ）を受信し、Ｂμｃｏｍ２１のメモリ部に該レンズ固有のデータを格納する。その後、リターンし、メインルーチンに戻る。
【００７８】
メインルーチンのステップＳ３にて「レンズ状態フラグ」を０にリセットし、ステップＳ６に進む。
【００７９】
ステップＳ６において、レリーズ操作状態の判別を行い、レリーズ操作ありの場合は、ステップＳ７に進み、レリーズ処理を実行する。レリーズ操作なしの場合は、ステップＳ８に進む。
【００８０】
ステップＳ７のレリーズ処理では、後述するサブルーチンの測光処理、また、測距処理を行って露出条件の設定、さらに、レンズの合焦駆動を行い、シャッタ開閉による露出処理が実行される。
【００８１】
ステップＳ８において、ユーザがカメラ状態スイッチ４１などを操作して設定した各種の情報が通信によりＢμｃｏｍ２１に取り込まれる。
【００８２】
ステップＳ９において、カメラがモニタモードに設定されていることが検出された場合、ステップＳ１０に進み、液晶モニタ３６にて被写体像表示が行われる。ステップＳ１１にて撮影モードに切り換えられたことが検出された場合、ステップＳ１２に進む。
【００８３】
ステップＳ１２において、サブルーチン「レンズ・アダプタ状態受信処理」（図７）が呼び出される。
【００８４】
上記サブルーチン「レンズ・アダプタ状態受信処理」においては、ステップＳ３１でレンズフラグをチェックし、０の場合（レンズ未装着）は、ステップＳ３６に進む。レンズフラグが１の場合（レンズ装着）は、ステップＳ３２に進む。
【００８５】
ステップＳ３６では、レンズ鏡筒１５との通信を行い、レンズ状態を受信する。ステップＳ３７でレンズ状態の変化を検出し、変化がなかった場合、すなわち、レンズ鏡筒１５が外された状態であることが確認された場合、リターンして、メインルーチンに戻る。レンズ状態の変化があった場合、レンズ鏡筒１５が装着されたとしてステップＳ３８に進む。
【００８６】
ステップＳ３２に進んだ場合、レンズ鏡筒１５との通信を行い、レンズ状態を受信する。ステップＳ３３にてレンズ状態の変化が検出された場合、ステップＳ３８に進むが、検出されなかった場合は、ステップＳ３４に進む。
【００８７】
ステップＳ３８では、レンズ状態変化フラグを１にセットし、レンズ状態のデータ（表１に示す）をＢμｃｏｍ２１のメモリ部に格納し、ステップＳ３４に進む。
【００８８】
ステップＳ３４では、アダプタフラグをチェックして、０（アダプタ未装着）であれば、そのままリターンする。１（アダプタ装着）であれば、ステップＳ３５に進む。
【００８９】
ステップＳ３５では、アダプタとの通信を行い、アダプタ状態のデータ（表２に示す）を受信して、Ｂμｃｏｍ２１のメモリ部に格納して本ルーチンを終了し、メインルーチンに戻る。
【００９０】
メインルーチンのステップＳ１３においては、サブルーチン「測光処理」（図８）が呼び出される。
【００９１】
このサブルーチン「測光処理」は、Ｂμｃｏｍ２１にて処理され、測光センサで検出された被写体の輝度測定データである測光データに対してレンズおよび／またはアダプタの固有データ、および、現在の状態データに適用して前述の（１）〜（７）式による補正を加え、上記各データによる影響を取り除いた精度のよい実効的な測光補正値を演算する処理である。演算処理に使用される各変数値は、（１）〜（７）式に用いた値とする。
【００９２】
図８に示すようにステップＳ４１で測光センサ２５の出力を読み取り、被写体輝度値（各測光エリアに対応する測光値ＢＶ（ｘ））を求める。ステップＳ４２でレンズ開放Ｆ値（∞）情報（開放Ｆno（∞））とレンズ射出瞳距離情報（ＳL ）を読み出す。なお、レンズ射出瞳距離情報（ＳL ）は、レンズ鏡筒単体での瞳位置と撮像面位置との距離である。
【００９３】
ステップＳ４３で装着されているレンズ鏡筒１５が撮影距離によってレンズ実効Ｆ値（∞）が変化するものであるかどうかをチェックし、変化するものであれば、ステップＳ４４へ進み、変化しないものであればステップＳ４６にジャンプする。
【００９４】
ステップＳ４４では、レンズ鏡筒のレンズＩＤを読み出し、ステップＳ４５に進み、現在の焦点距離情報，撮影距離情報を読み出し、現在の焦点距離における撮影距離に応じたレンズ実効Ｆ値（Ｆnoｅ）を算出する（表４，５の補正係数Ｈを用いた（１）式による演算）。
【００９５】
ステップＳ４６では、中間アダプタ１９が装着されれているかを検出し、装着されていればステップＳ４７進むが、装着されていなければ、ステップＳ５３に進む。
【００９６】
ステップＳ５３では、レンズ射出瞳距離ＳL を射出瞳距離（ＳLL）として、ステップＳ５１に進む。
【００９７】
ステップＳ４７では、装着されている中間アダプタがテレコンバータであるか単なる中間リングであるを判別する。テレコンバータであれば、ステップＳ４８に進み、中間リングであれば、ステップＳ４９に進む。
【００９８】
ステップＳ４８では、テレコンバータの倍率Ｍを読み出し、倍率Ｍに応じた実効Ｆ値（Ｆnoｅｔ）を算出する（（２）式による演算）。そして、上述したステップＳ５３に進む。
【００９９】
ステップＳ４９では、アダプタ長さＬａを読み出し、アダプタ接続状態での実効Ｆ値（Ｆnoｅｃ）を算出する（表６の補正倍率Ｋを用いた（３）による演算）。そして、ステップＳ５０に進み、上記レンズ射出瞳距離（ＳL ）にアダプタ長さ（Ｌａ）を加算してレンズ鏡筒に中間アダプタを装着した状態の射出瞳距離（ＳLL）を求める。
【０１００】
ステップＳ５１にて、アペックス値としてレンズ／アダプタ装着状態によってレンズ実効Ｆ値（ＡＶｅ），テレコンバータ使用時の実効Ｆ値（ＡＶｅｔ），中間リング使用時の実効Ｆ値（ＡＶｅｃ）のうちの何れかと、射出瞳距離ＳLLとを用いて各測光エリアの測光輝度値である測光値（ＢＶ（ｘ））を補正し、補正測光値（ＢＶｃ（ｘ））を演算する（表７の補正値（ｆL ）を用いた（７）式による演算）。
【０１０１】
その後、ステップＳ５２に進み、レンズ周辺減光情報を読み出し、その周辺減光量からステップＳ５１で得た測光補正値をさらに補正し、本ルーチンを終了し、メインルーチンに戻る。
【０１０２】
メインルーチンに戻り、ステップＳ１４では、上記補正測光値と、上記実効Ｆ値に応じた実効Ｆ値と、シャッタ秒時値とによる露出演算を行う。ステップＳ１５にて上記露出演算の結果である撮影可能なＦ値、シャッタ秒時値を動作表示用ＬＣＤ４２に表示する。その後、ステップＳ１６にて１００ｍｓだけ待機し、ステップＳ１７にてパワースイッチのオン・オフをチェックし、オフであれば、本ルーチンを終了する。オンであれば、ステップＳ４に戻り、レンズ状態変化フラグをチェックし、１（状態変化あり）であれば、ステップＳ２に進むが、０（状態変化なし）であれば、ステップＳ５に進む。
【０１０３】
ステップＳ５では、装着検出スイッチ１４の状態を検出し、変化があればステップＳ２に進み、変化がなければステップＳ６に進み、レリーズ状態を検出する。
【０１０４】
以上、説明したように本実施形態のカメラシステム１によれば、測光センサ２５で検出された測光値に対して、カメラボディ２に装着されたレンズ鏡筒１５の固有のデータ（開放絞り値）や撮影時のレンズ状態情報（現在のの撮影距離やレンズ射出瞳距離や焦点距離）、および、中間アダプタ１９の固有、または、撮影時のアダプタ長さや倍率等による補正演算を行い、その補正測光値に基づいて露出演算が行われる。従って、レンズ鏡筒や中間アダプタの特性によって生じる測光センサに入射する被写体拡散光量の変化による測光値の誤差を少なくし、精度のよい露出条件で撮影を行うことができる。
【０１０５】
また、本実施形態のカメラシステムでは、中間アダプタ１９に通信コネクタを配することによって該アダプタの長さや倍率のデータをカメラボディ側のＢμｃｏｍ２１に取り込むことができることから中間アダプタ１９における通信や演算負荷の少ないシステムが構成できる。さらに、算出された補正測光値や実効絞り値を動作表示用モニタ４２に表示できるのでユーザーは、容易に撮影条件を知ることができる。
【０１０６】
なお、上述した第一の実施形態のカメラシステム１における測光方式は、開放測光を行うものとしてが、開放測光ではない実絞り測光を行うカメラシステムに対しても開放絞りを実絞りに入れ替えることにより同様な測光値の補正方法を適用することが可能である。
【０１０７】
次に、本発明の第二の実施形態のカメラシステムについて、図９を用いて説明する。  
図９は、本実施形態のカメラシステムのカメラボディに組み込まれるファインダ装置の光路を示す斜視図である。
【０１０８】
本実施形態のカメラシステムは、第一の実施形態とカメラシステムに対して図９に示すファインダ装置７０の構成のみが異なっており、その他の構成を同一である。本実施形態のカメラボディにおいてもレンズ鏡筒１５および中間アダプタ１９が着脱可能であり、このカメラシステムの制御もカメラボディ側Ｂμｃｏｍ２１と該Ｂμｃｏｍと協働して作用するＬμｃｏｍ５１およびＭμｃｏｍ６１とによって第一実施形態の場合と同様な測光値補正処理や露出演算処理が行われる。以下、第一の実施形態と異なる点について説明する。
【０１０９】
本実施形態のカメラシステムのカメラボディには、図９に示す観察光学系を有するファインダ装置７０が組み込まれている。
【０１１０】
このファインダ装置７０において、被写体光は、撮影レンズ７１の光軸Ｏ1 上に観察時には斜設状態で配される可動ミラー７２により水平方向の光軸Ｏ2 に沿って反射され、一次結像面位置に配されるスクリーン７３上に被写体像として結像する。スクリーン７３上の被写体光は、その一部がハ−フミラ−ら７４で上方方向の光軸Ｏ3 に沿って反射される。他の一部は、ハ−フミラ−７４の背面部の上記被写体光の拡散光を受光する位置に測光センサ８２が配されている。上記被写体光の一部は、さらに、ミラー７５により水平方向の光軸Ｏ4 に沿って反射され、ハ−フミラ−７６にて被写体光の一部が接眼レンズ７７側に光軸Ｏ5 に沿って反射され、接眼レンズ７７を介して被写体像として観察される。上記被写体光の他の一部は、ハ−フミラ−７６を透過し、結像レンズ７８を介して表示用撮像素子７９上に結像する。
【０１１１】
撮影時には、可動ミラー７２が光軸Ｏ1 の光路上から退避し、被写体光は、撮影用の撮像素子８１の結像面上に結像する。
【０１１２】
測光センサ８２は、スクリーン７３に対してハ−フミラ−７４を介して配置されることからスクリーン７３と測光センサ８２との間隔が比較的に短い。このような配置状態では、測光センサ８２に入射するべき被写体光の拡散光量に対するレンズ鏡筒１５や中間アダプタ１９の特性による影響が大きく、測光値が変化する度合いが大きい。
【０１１３】
そこで、本実施形態においても第一の実施形態の場合と同様に測光センサによる測光値をカメラボディ２に装着されたレンズ鏡筒１５の固有のデータ（開放絞り値）や撮影時のレンズ状態情報（現在のの撮影距離やレンズ射出瞳距離や焦点距離）、および、中間アダプタ１９の固有、または、撮影時のアダプタ長さや倍率等による補正演算を行い、その補正測光値を求めることにより、精度の低下のない適正な補正演算が行われる。
【０１１４】
本実施形態のカメラシステムは、特にスクリーンと測光センサとの間隔が短いような構成を有するカメラボディに有効な測光値の補正を行うことができ、精度のよい露出条件を設定することができる。
【０１１５】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【０１１６】
例えば、各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【産業上の利用可能性】
【０１１７】
本発明によるカメラシステム、または、撮像装置は、カメラボディと撮影レンズ鏡筒の間に中間アダプタを介在させた状態を含めて正確な測光を行うことが可能なカメラシステム、または、撮像装置として利用が可能である。
【図面の簡単な説明】
【０１１８】
【図１】本発明の第一の実施形態であるカメラシステムの要部構成を一部切り欠いて示した斜視図である。
【図２】図１のカメラシステムのシステムブロック構成図である。
【図３】図１のカメラシステムを構成するカメラボディにおける撮影範囲内の測光エリアの分布を示す図である。
【図４】図１のカメラシステムにおけるレンズ射出瞳距離をパラメータとしたときの中間アダプタ長さに対する実効絞りの変化率を示す線図である。
【図５】図１のカメラシステムにおけるメイン処理である「撮影／表示処理」のフローチャートである。
【図６】図５の「撮影／表示処理」で呼び出されるサブルーチンの「レンズ・アダプタマウント処理」のフローチャートである。
【図７】図５の「撮影／表示処理」で呼び出されるサブルーチンの「レンズ・アダプタ状態受信処理」のフローチャートである。
【図８】図５の「撮影／表示処理」で呼び出されるサブルーチンの「測光処理」のフローチャートである。
【図９】本発明の第二の実施形態のカメラシステムを構成するカメラボディに組み込まれるファインダ装置の光路を示す斜視図である。
【符号の説明】
【０１１９】
２  …カメラボディ
２ａ…マウント部（装着部）
４，７３
…スクリーン
９，８１
…撮像素子
１５  …レンズ鏡筒（撮影レンズ）
１９  …中間アダプタ
２１  …Ｂμｃｏｍ
（間隔情報取得手段，
撮影レンズ情報取得手段，補正係数記憶手段，
演算手段，）
２５，８２
…測光センサ（測光手段）
４５  …ボディ通信コネクタ（通信手段）
【図１】
2007017891.tif 000010
【図２】
2007017891.tif 000011
【図３】
2007017891.tif 000012
【図４】
2007017891.tif 000013
【図５】
2007017891.tif 000014
【図６】
2007017891.tif 000015
【図７】
2007017891.tif 000016
【図８】
2007017891.tif 000017
【図９】
2007017891.tif 000018